(57)【特許請求の範囲】
【請求項１】
チオ硫酸塩、並びにエデト酸、エデト酸塩、ホウ酸及びホウ酸塩からなる群より選択される少なくとも１種を含む、水溶性高分子増粘剤を含有する組成物の安定化剤。
【請求項２】
チオ硫酸ナトリウム、エデト酸二ナトリウム及びホウ酸を含む、請求項１に記載の安定化剤。
【請求項３】
水溶性高分子増粘剤がセルロース系増粘剤、合成有機高分子化合物、多糖類、スターチ類及びアルコール系増粘剤からなる群より選択される少なくとも１種である、請求項１または２に記載の安定化剤。
【請求項４】
チオ硫酸塩、並びにエデト酸、エデト酸塩、ホウ酸及びホウ酸塩からなる群より選択される少なくとも１種を配合することを特徴とする、水溶性高分子増粘剤を含有する組成物の安定化方法。
【請求項５】
チオ硫酸ナトリウム、エデト酸二ナトリウム及びホウ酸を配合する、請求項４に記載する安定化方法。
【請求項６】
水溶性高分子増粘剤がセルロース系増粘剤、合成有機高分子化合物、多糖類、スターチ類及びアルコール系増粘剤からなる群より選択される少なくとも１種である、請求項４または５に記載する安定化方法。
【発明の詳細な説明】
【技術分野】
【０００１】
本発明は、水溶性高分子増粘剤を含有する組成物を安定に保つことができる安定化剤に関する。
【背景技術】
【０００２】
ヒドロキシプロピルメチルセルロースやヒドロキシエチルセルロース、ポリビニルアルコール、ヒアルロン酸ナトリウム、アルギン酸及びその塩類、マクロゴール等の水溶性高分子増粘剤は、医薬組成物、食品等の様々な分野において汎用されている。しかしながら、この様な水溶性高分子増粘剤を含有する組成物を長期に亘って保存すると、共に配合されているホウ酸やホウ酸塩、酸化剤等によって加水分解が促進される等して、製品の粘度が低下することが知られている。また、長期間保存することで水溶性高分子増粘剤の変質がおこることもある。そのため、水溶性高分子増粘剤を含有する組成物を長期間保存すると、所期の粘度が得られなかったり、組成物が濁ったり、ｐＨが低下するといった問題があった。さらに、セルロース系高分子は、配合成分の影響により、少しの温度変化でも熱ゲル化を生じて濁ってしまうことがある。そこで、アルコール類を配合することによって粘度を安定化させる等の方法がとられたが、充分な効果は得られていない（例えば、特許文献１〜３を参照）。このような背景から、長期に亘って保存しても所期の粘度が保持され、組成物の濁りやｐＨ変動を抑制し得る、水溶性高分子増粘剤を含有する組成物の安定化剤が求められている。
【先行技術文献】
【特許文献】
【０００３】
【特許文献１】特開平１１−７１４７８
【特許文献２】特開昭５５−１５３７１１
【特許文献３】特開昭６１−１８０７０５
【発明の概要】
【発明が解決しようとする課題】
【０００４】
本発明は、水溶性高分子増粘剤を含有する組成物に対して優れた安定化作用を有し、長期間保存後も所期の粘度を保持し得る安定化剤を提供することを主な目的とする。
【課題を解決するための手段】
【０００５】
本発明者は、上記課題を解決すべく鋭意検討を重ねた結果、チオ硫酸塩が、水溶性高分子増粘剤を含有する組成物の保存による粘度及びｐＨの変動、ならびに濁りに対して優れた抑制作用を発揮することを見出した。チオ硫酸塩は、不安定な成分の安定性を向上させる目的で抗酸化剤等として広く使用されるほか、コンタクトレンズケア用品の中和剤等にも使用される安全性の高い成分の１つであるが、チオ硫酸塩自身が水溶性高分子増粘剤を含有する組成物の安定化作用を示すことは今まで知られていなかった。本発明は、このような知見に基づき、さらに研究を重ねることによって完成されたものである。
【０００６】
本発明は、以下の水溶性高分子増粘剤を含有する組成物の安定化剤及び水溶性高分子増粘剤を含有する組成物の安定化方法を提供する。
項１．チオ硫酸塩に、エデト酸、エデト酸塩、ホウ酸及びホウ酸塩からなる群より選択される少なくとも１種を含む、水溶性高分子増粘剤を含有する組成物の安定化剤。
項２．チオ硫酸塩がチオ硫酸ナトリウムである、項１に記載の安定化剤。
項３．チオ硫酸ナトリウム、エデト酸二ナトリウム及びホウ酸を含む、項１または２に記載の安定化剤。
項４．チオ硫酸ナトリウム、ホウ酸及びホウ酸ナトリウムを含む、項１または２に記載の安定化剤。
項５．水溶性高分子増粘剤がセルロース系増粘剤、合成有機高分子化合物、多糖類、スターチ類及びアルコール系増粘剤からなる群より選択される少なくとも１種である、項１〜４のいずれかに記載の安定化剤。
項６．水溶性高分子増粘剤がセルロース系増粘剤、多糖類及びアルコール系増粘剤からなる群より選択される少なくとも１種である、項１〜４のいずれかに記載の安定化剤。
項７．水溶性高分子増粘剤を含有する組成物が眼科用組成物である、項１〜６のいずれかに記載の安定化剤。
項８．チオ硫酸塩、並びにエデト酸、エデト酸塩、ホウ酸及びホウ酸塩からなる群より選択される少なくとも１種を配合することを特徴とする、水溶性高分子増粘剤を含有する組成物の安定化方法。
項９．チオ硫酸ナトリウム、エデト酸二ナトリウム及びホウ酸を配合する、項９に記載する安定化方法。
項１０．水溶性高分子増粘剤がセルロース系増粘剤、合成有機高分子化合物、多糖類、スターチ類及びアルコール系増粘剤からなる群より選択される少なくとも１種である、項８または９に記載する安定化方法。
【発明の効果】
【０００７】
本発明の安定化剤は、水溶性高分子増粘剤を含有する組成物に対して優れた安定化作用を有し、従って、水溶性高分子増粘剤を含有する製品を長期に亘って保存した場合であっても、該増粘剤の変質等による製品の粘度の低下を抑制し、さらには製品のｐＨの変化や濁りを抑制することができる。また、本発明の安定化剤に含まれる有効成分は、いずれも人体（特に眼）に対する傷害性が低く、安全性の高いものである。
【０００８】
本発明の安定化剤及び水溶性高分子増粘剤を配合した眼科用組成物は、長期に亘って保存しても所期の粘度を保持することができ、さらに該組成物の濁りやｐＨの変化が抑制され、長期間品質が安定に保たれる。
【０００９】
さらに、本発明における水溶性高分子増粘剤を含有する組成物の安定化剤の有効成分であるチオ硫酸塩を配合することにより、水溶性高分子増粘剤を含有する様々な組成物の粘度安定性を高めることが可能である。
【発明を実施するための形態】
【００１０】
本発明において水溶性高分子増粘剤を含有する組成物の安定化とは、長期間保存後であっても水溶性高分子増粘剤を含有する組成物の所期の粘度を保持し得ることを指す。
【００１１】
具体的には、例えば、水溶性高分子増粘剤を０．３重量％配合した組成物を、５０℃にて１ヶ月保存した後の粘度を、Ｂ型粘度計であるデジタル粘度計（型名：ＤＶ−ＩＩ＋、ブルックフィールド社製）を用い、スピンドルはＵＬＡを用いて、回転数６〜３０ｒｐｍ、液温２５℃の条件で測定した結果を用いて下記の式に従って計算して得られた値が９０％程度以上、好ましくは９５％程度以上であることを指す。
[５０℃１ヶ月保存後の粘度]／[初期（保存前）の粘度]×１００％
【００１２】
また、より好ましくは、常温（２５℃）での上記組成物のｐＨ変化が保存前の値の±１程度、好ましくは±０．５程度に抑えられることを指し、さらに好ましくは該組成物に濁りを生じないことを指す。
【００１３】
以下、本発明に使用される各成分について説明する。
【００１４】
（１）水溶性高分子増粘剤を含有する組成物の安定化剤
本発明の水溶性高分子増粘剤を含有する組成物の安定化剤は、チオ硫酸塩を有効成分とする。本発明において使用されるチオ硫酸塩としては、薬学的に許容される塩であれば特に限定されないが、例えば、チオ硫酸ナトリウム、チオ硫酸カリウム、チオ硫酸アンモニウム、等が挙げられる。本発明において使用されるチオ硫酸塩は、無水塩の形態であってもよく、また、例えば五水和物といった水和物の形態で用いてもよい。これらの塩を１種単独で使用することもでき、２種以上を組み合わせてもよい。本発明においては、チオ硫酸ナトリウムであることが好ましい。
【００１５】
本発明の安定化剤は、上記チオ硫酸塩からなるものであってもよく、さらにエデト酸及び／又はホウ酸を含んでいてもよい。
【００１６】
本発明において使用され得るエデト酸（エチレンジアミン四酢酸）は、エデト酸塩の形態であってもよく、エデト酸とエデト酸塩の混合物であってもよい。また、エデト酸塩は、無水物の形態でもよく、水和物の形態であってもよい。エデト酸塩としては、薬学的に許容される塩であれば特に限定されず、エデト酸のナトリウム塩、カリウム塩、カルシウム塩等を使用することができる。この様な塩としては、例えば、エデト酸二ナトリウム、エデト酸三ナトリウム、エデト酸四ナトリウム、エデト酸カルシウム、エデト酸カルシウム二ナトリウム、エデト酸二カリウム、エデト酸三カリウム、これらの水和物等が挙げられる。これらの塩を１種単独で使用することもでき、２種以上を組み合わせて用いてもよい。本発明においては、エデト酸のナトリウム塩（より好ましくはエデト酸二ナトリウム）、エデト酸カルシウムであることが好ましい。
【００１７】
本発明において使用され得るホウ酸は、ホウ酸塩の形態であってもよく、ホウ酸とホウ酸塩の混合物であってもよい。また、ホウ酸塩は、無水物の形態でもよく、水和物の形態であってもよい。ホウ酸塩としては、薬学的に許容される塩であれば特に限定されず、例えば、ホウ酸のナトリウム塩、カリウム塩、カルシウム塩、マグネシウム塩、亜鉛塩等を使用することができる。このような塩としては、例えば、ホウ酸ナトリウム（ホウ砂）、ホウ酸カルシウム、ホウ酸マグネシウム、ホウ酸カリウム、ホウ酸亜鉛、これらの水和物等が挙げられる。これらの塩を１種単独で使用することもでき、２種以上を組み合わせてもよい。本発明においては、ホウ酸、ホウ酸ナトリウム（ホウ砂）であることが好ましい。
【００１８】
本発明における上記有効成分の好ましい組み合わせとしては、例えば、チオ硫酸ナトリウム、エデト酸のナトリウム塩（より好ましくはエデト酸二ナトリウム）及びホウ酸；チオ硫酸ナトリウム及びホウ酸（又はホウ酸とホウ酸ナトリウムの混合物）が挙げられる。
【００１９】
また、本発明の安定化剤には、本発明の効果を損なわない限りにおいて、上記有効成分の他に、従来公知の活性成分、等張化剤、無機塩類、緩衝剤、増粘剤、糖類、界面活性剤、可溶化剤、洗浄成分、キレート剤、抗酸化剤、清涼化剤、香料、局所麻酔剤、防腐剤、ｐＨ調整剤等の添加剤を添加してもよい。以下、各添加剤の例を挙げるが、本発明において使用される各種添加剤は、これらに限定されない。
【００２０】
他の活性成分としては、例えば、エピネフリン、塩酸エピネフリン、塩酸エフェドリン、塩酸テトラヒドロゾリン、硝酸テトラヒドロゾリン、塩酸ナファゾリン、硝酸ナファゾリン、塩酸フェニレフリン、ｄｌ−塩酸メチルエフェドリン等の充血除去剤；メチル硫酸ネオスチグミン、ε−アミノカプロン酸、アラントイン、塩化ベルベリン、硫酸ベルベリン、硫酸亜鉛、乳酸亜鉛、塩化リゾチーム、グリチルリチン酸二カリウム、グリチルリチン酸アンモニウム、グリチルレチン酸、サリチル酸メチル、トラネキサム酸、アズレンスルホン酸ナトリウム、クロモグリク酸ナトリウム等の消炎・収斂剤；塩酸イプロヘプチン、塩酸ジフェンヒドラミン、ジフェンヒドラミン、塩酸イソチペンジル、マレイン酸クロルフェニラミン等の抗ヒスタミン剤；フラビンアデニンジヌクレオチドナトリウム、塩酸ピリドキシン、シアノコバラミン、パンテノール、パントテン酸カルシウム、パントテン酸ナトリウム等の水溶性ビタミン類；ビタミンＡ類（例えば酢酸レチノール、パルミチン酸レチノール）、ビタミンＥ類（酢酸トコフェロール（例えば、酢酸ｄ−α−トコフェロール）等の脂溶性ビタミン類；Ｌ−アスパラギン酸カリウム、Ｌ−アスパラギン酸マグネシウム、アミノエチルスルホン酸、コンドロイチン硫酸ナトリウム等のアミノ酸類；スルファメトキサゾール、スルファメトキサゾールナトリウム、スルフイソキサゾール、スルフイソミジンナトリウム、イソプロピルメチルフェノール、ヒノキチオール等のサルファ剤；塩化カリウム、塩化カルシウム、塩化ナトリウム、炭酸水素ナトリウム、炭酸ナトリウム、乾燥炭酸ナトリウム、硫酸マグネシウム、リン酸水素ナトリウム、リン酸二水素ナトリウム、リン酸二水素カリウム等の無機塩類等が挙げられる。
【００２１】
上記の活性成分は、その１種を単独で併用してもよく、２種以上を組み合わせて併用してもよい。
【００２２】
等張化剤として、グリセリン、プロピレングリコールなどの多価アルコール、糖類（ブトウ糖，ソルビトールなど）等が挙げられる。
【００２３】
無機塩類としては、塩化ナトリウム、塩化カリウム、炭酸ナトリウム、炭酸水素ナトリウム、塩化カルシウム、硫酸マグネシウム、リン酸水素ナトリウム、リン酸水素二ナトリウム、リン酸水素二カリウム、チオ硫酸ナトリウム、酢酸ナトリウム等が挙げられる。
【００２４】
緩衝剤として、ホウ酸緩衝剤、リン酸緩衝剤、炭酸緩衝剤、クエン酸緩衝剤、酢酸緩衝剤等が挙げられる。
【００２５】
増粘剤として、アラビアゴム、カラヤガム、キサンタンガム、カゼイン、寒天、アルギン酸、α−シクロデキストリン、デキストリン、デキストラン、カラギーナン、ゼラチン、コラーゲン、ペクチン、デンプン、キチン及びその誘導体、キトサン及びその誘導体、エラスチン、ヘパリン、ヘパリノイド、ヘパリン硫酸、ヘパラン硫酸、ヒアルロン酸、メチルセルロース、ヒドロキシエチルセルロース等の多糖類又はその誘導体、セラミド、マクロゴール、グリセリン、ポピドン、ポリビニルメタアクリレート、ポリビニルアルコール、ポリアクリル酸、カルボキシビニルポリマー、ポリエチレンイミン等が挙げられる。
【００２６】
糖類として、グルコース、フルクトース、ガラクトース、マンノース、リボース、リブロース、アラビノース、キシロース、リキソース、デオキシリボース、マルトース、トレハロース、スクロース、セロビオース、ラクトース、プルラン、ラクツロース、ラフィノース、マルチトール等及びこれらの薬学的に許容される塩類が挙げられる。
【００２７】
界面活性剤として、ポリオキシエチレン硬化ヒマシ油等の高級脂肪酸エステル、ポリソルベート８０やポリオキシエチレンソルビンモノオレエート等のポリオキシエチレンソルビタン高級脂肪酸エステル、ショ糖脂肪酸エステル、ポリオキシエチレンポリオキシプロピレンブロックコポリマーなどの非イオン性界面活性剤などが挙げられる。
【００２８】
キレート剤として、エデト酸（エチレンジアミン四酢酸，ＥＤＴＡ）、エチレンジアミン二酢酸（ＥＤＤＡ）酒石酸、リン酸類（ポリリン酸、ヘキサメタリン酸、メタリン酸）、コハク酸などが挙げられる。
【００２９】
抗酸化剤として、ジブチルヒドロキシトルエン（ＢＨＴ）、酢酸トコフェロール、アスコルビン酸リン酸エステルマグネシウム塩等が挙げられる。
【００３０】
香料（清涼化剤）としては、メントール、カンフル、ボルネオール、ユーカリ油、ペパーミント油、ベルガモット油、ゲラニオール等が挙げられる。
【００３１】
局所麻酔剤としては、クロロブタノール等が挙げられる。
【００３２】
防腐剤としては、パラオキシ安息香酸エステル、アクリノール、塩化ベンザルコニウム、塩化ベンゼトニウム、塩化セチルピリジニウム、クロルヘキシジン、ポリヘキサメチレンビグアニド、アルキルポリアミノエチルグリシン、グルコン酸クロルヘキシジン、ベンジルアルコール、フェネチルアルコール、クロロブタノール、イソプロパノール、エタノール、チメロサール、リゾチーム、ソルビン酸、ソルビン酸カリウム、過酸化水素、塩化ポリドロニウム、塩酸ヘキサニド等が挙げられる。
【００３３】
ｐＨ調整剤としては、無機酸（塩酸、硫酸、リン酸、ポリリン酸、ホウ酸など）、有機酸（乳酸、酢酸、酒石酸、リンゴ酸、コハク酸、シュウ酸、グルコン酸、フマル酸、プロピオン酸、酢酸、アスパラギン酸、イプシロン−アミノカプロン酸、グルタミン酸、アミノエチルスルホン酸など）、グルコノラクトン、酢酸アンモニウム、無機塩基（炭酸水素ナトリウム、炭酸ナトリウム、水酸化カリウム、水酸化ナトリウム、水酸化カルシウム、水酸化マグネシウムなど）等が挙げられる。
【００３４】
本発明の安定化剤の有効成分としてチオ硫酸塩を単独で使用する場合は、水溶性高分子増粘剤を含有する組成物の１００重量部に対してチオ硫酸塩を０．００１〜１０重量部程度、好ましくは０．００５〜５重量部程度、より好ましくは０．０１〜３重量部程度、さらに好ましくは０．１〜１重量部程度含有する。あるいは、水溶性高分子増粘剤を含有する組成物の１００重量部に対してチオ硫酸塩を０．１５〜１０重量部程度、好ましくは０．１５〜５重量部程度、より好ましくは０．１５〜３重量部程度、さらに好ましくは０．１５〜１重量部程度含有する。
【００３５】
本発明の安定化剤の有効成分としてチオ硫酸塩とエデト酸を併用する場合は、上記エデト酸及び／又はエデト酸塩を、チオ硫酸塩１重量に対して、０．０００１〜１０００重量部、好ましくは０．００１〜１００重量部、より好ましくは０．００１〜１０重量部配合することが望ましい。
【００３６】
また、本発明の安定化剤の有効成分としてチオ硫酸塩とホウ酸を併用する場合は、上記ホウ酸及び／又はホウ酸塩を、チオ硫酸塩１重量に対して、０．００１〜５０００重量部、好ましくは０．０２〜６００重量部、より好ましくは０．１〜２００重量部配合することが望ましい。
【００３７】
上記範囲内であれば、ホウ酸やホウ酸塩を配合した系においても水溶性高分子増粘剤を含有する組成物の安定化作用に優れ、且つ浸透圧が高くなりすぎず、眼科用組成物等に適用した場合でも眼刺激を引き起こすことがないため好ましい。
【００３８】
本発明の安定化剤は、ｐＨ５〜８程度、好ましくは６〜７程度のもとで有効に作用し得るものである。
【００３９】
本発明の安定化剤は、水溶性高分子増粘剤を含有する組成物に対して優れた粘度安定化作用を発揮することができる。本発明における水溶性高分子増粘剤としては、例えば、セルロース系増粘剤、合成有機高分子化合物、多糖類、スターチ類、アルコール系増粘剤等が挙げられ、好ましくはセルロース系増粘剤、多糖類、アルコール系増粘剤である。
【００４０】
セルロース系増粘剤としては、例えば、ヒドロキシプロピルメチルセルロース、ヒドロキシメチルセルロース、ヒドロキシプロピルセルロース、メチルセルロース、ヒドロキシエチルセルロース、カルボキシメチルセルロース、またはこれらの塩等が挙げられる。また、商業的に入手できる増粘剤を用いてもよい。商業的に入手できるものとして、例えば、ＨＰＭＣ２９１０、ＨＰＭＣ２９０６及びＨＰＭＣ２２０８（信越化学工業（株）製のメトローズ６０ＳＨ−１５、６０ＳＨ−５０、６０ＳＨ−４０００、６０ＳＨ−１００００、メトローズ６５ＳＨ−５０、６５ＳＨ−４００、６５ＳＨ−１５００、６５ＳＨ−４０００、メトローズ９０ＳＨ−１００、９０ＳＨ−４００，９０ＳＨ−４０００、ＴＣ−５等）；メトセルシリーズ（ダウ・ケミカル日本株式会社製のメトセルＥ、メトセルＦ、メトセルＫ等）；マーポローズ（松本油脂製薬株式会社製のマーポローズ６０ＭＰ、マーポローズ６５ＭＰ、マーポローズ９０ＭＰ等；ＨＥＣ（ダイセル化学工業（株）製のダイセルＨＥＣ８５０ＳＥ、９００ＳＥ等）；ＰＶＡ（日本合成化学（株）製のゴーセノールＥＧ−４０、ＥＧ−０５等）が挙げられる。
【００４１】
合成有機高分子化合物やアルコール系増粘剤としては、ポリビニルアルコール、ポリ−Ｎ−ビニルピロリドン、ポリエチレングリコール、マクロゴール、ポリプロピレングリコール、ポリアクリルアミド等が挙げられる。多糖類としては、ヒアルロン酸やコンドロイチン硫酸、アルギン酸またはこれらの塩等が挙げられる。
【００４２】
本発明では水溶性高分子増粘剤として、上記化合物を１種単独で、又は２種以上を組み合わせて使用することができる。
【００４３】
本発明における水溶性高分子増粘剤を含有する組成物中には、上記の水溶性高分子増粘剤が０．００１〜２０重量％程度、好ましくは０．００５〜１８重量％程度、より好ましくは０．０１〜１５重量％程度、さらに好ましくは０．１〜５重量％程度含まれる。このような組成物としては、水系組成物が挙げられ、水を含む組成物であって、溶液、懸濁液、ペースト状、半ペースト状の医薬品、医薬部外品、食品等が挙げられる。なかでも好ましくは、医薬品であり、特に眼科用組成物である。
【００４４】
本発明の安定化剤は、例えばＨＰＭＣ２９１０（信越化学工業（株）製のメトローズ６０ＳＨ−４０００等）、ＨＰＭＣ２９０６（信越化学工業（株）製のメトローズ６５ＳＨ−１５００、６５ＳＨ−４０００等）、ＨＰＭＣ２２０８（信越化学工業（株）製のメトローズ９０ＳＨ−４０００等）、ＨＥＣ（ダイセル化学工業（株）製のダイセルＨＥＣ８５０ＳＥ、９００ＳＥ等）、ＰＶＡ（日本合成化学（株）製のゴーセノールＥＧ−４０、ＥＧ−０５等）、ヒアルロン酸ナトリウムを含有する組成物に対して極めて優れた安定化作用を発揮することができる。
【００４５】
（２）眼科用組成物
上記（１）に記載する本発明の安定化剤を、水溶性高分子増粘剤を含有する眼科用組成物に配合させることにより、長期にわたる保存でも該眼科用組成物の所期の粘度を保持し、濁りの発生やｐＨの変動を抑制することができる。また、本発明の安定化剤は、コンタクトレンズに吸着することがなく、コンタクトレンズの変質を引き起こすこともないため、コンタクトレンズ用の眼科用組成物にも適用することができる。コンタクトレンズ用の眼科用組成物とは、コンタクトレンズを装着時に使用される点眼剤を含み、後述のコンタクトレンズ用剤等も含まれる。
【００４６】
従って、本発明は、前述の安定化剤を含有する眼科用組成物をも提供するものである。本発明の眼科用組成物における前記安定化剤の配合量は、本発明の効果を奏する範囲において適宜調整され得るが、例えば、チオ硫酸塩の配合量は０．００１〜１０重量％程度、好ましくは０．００５〜５重量％程度、より好ましくは０．０１〜３重量％程度である。あるいは、０．１５〜１０重量％程度、好ましくは０．１５〜５重量％程度、より好ましくは０．１５〜３重量％程度である。
【００４７】
本発明の眼科用組成物のｐＨは、５〜８程度、好ましくは６〜７程度に設定することが望ましく、浸透圧比は、１付近に設定することが望ましい。
【００４８】
本発明の眼科用組成物としては、水性点眼剤、非水性点眼剤、懸濁性点眼剤、乳濁性点眼剤、ソフトコンタクトレンズ、ハードコンタクトレンズ等を装用した状態でも点眼が可能な点眼剤等の点眼剤；眼軟膏剤；洗眼剤；コンタクトレンズ装着液、洗浄液、保存液、殺菌液等のコンタクトレンズ用剤等が挙げられる。
【００４９】
（３）粘度安定化方法
上記（１）に記載される成分を配合することによって、水溶性高分子増粘剤を含有する組成物の粘度安定性を高めることができ、加えて、該組成物におけるｐＨの変動抑制及び濁りの発生を抑制することもできる。各成分の配合量及び配合比率は、上記（１）に記載される範囲に従って、適宜調整され得る。
【実施例】
【００５０】
以下、実施例及び比較例を挙げて本発明をさらに詳細に説明するが、本発明はこれらに限定されない。
【００５１】
（１）試験例１：安定性試験
下記表１の処方に従い、各成分を精製水に溶解させて全量を１００ｍＬとして試験液を調製し、これを滅菌濾過した。各試験液を５０℃にて１ヶ月保存し、以下の基準に従って、粘度安定性、ｐＨ変動及び濁りの発生を判断した。結果を下記表１に示す。
【００５２】
＜粘度安定性判定基準＞
粘度の測定は、Ｂ型粘度計であるデジタル粘度計（型名：ＤＶ−ＩＩ＋、ブルックフィールド社製）を用い、スピンドルはＵＬＡを用いて、回転数６〜３０ｒｐｍ、液温２５℃の条件で行った。粘度安定性は、下記式で求めた値を用いて判断した。
[５０℃１ヶ月保存後の粘度]／[初期（保存前）の粘度]×１００％
○：５０℃１ヶ月保存後の粘度が初期値（保存前粘度）の９０％以上
×：５０℃１ヶ月保存後の粘度が初期値（保存前粘度）の９０％未満
【００５３】
＜濁りの有無判定基準＞
目視にて濁りの有無を確認した。
○：５０℃１ヶ月保存後の試験液で濁りなし
×：５０℃１ヶ月保存後の試験液で濁りあり
【００５４】
＜ｐＨ安定性判断基準＞
ｐＨ安定性は、下記式で求めた値を用いて判断した。
[５０℃１ヶ月保存後のpＨ]−[初期（保存前）のpＨ] 
○：５０℃１ヶ月保存後のｐＨと初期値（保存前ｐＨ）の差が±１
×：５０℃１ヶ月保存後のｐＨと初期値（保存前ｐＨ）の差が１より大きいか−１未満
【００５５】
【表１】
0005478680.tif 000002
【００５６】
※表中ＨＰＭＣ２９１０は、信越化学工業株式会社製メトローズ６０ＳＨ−４０００である。
※表中の添加成分配合量の単位は、ｇ／１００ｍＬである。
【００５７】
表１より、チオ硫酸ナトリウムを配合した試験液は、粘度安定性が高く、長期間保存しても濁りを生じることがなく、またｐＨの大幅な変動を引き起こすこともないことが示された。
【００５８】
（２）試験例２：水溶性高分子増粘剤の種類の検証
下記表２の処方に従い、各成分を精製水に溶解させて全量を１００ｍＬとして試験液を調製し、これを滅菌濾過した。各試験液を５０℃にて２週間保存し、以下の基準に従って、粘度安定性を判断した。結果を下記表２に示す。
【００５９】
＜粘度安定性判定基準＞
粘度安定性は、下記式で求めた値を用いて判断した。
【００６０】
[５０℃２週間保存後の粘度]／[初期（保存前）の粘度]×１００％
○：５０℃２週間保存後の粘度が初期値（保存前粘度）の９０％以上
×：５０℃２週間保存後の粘度が初期値（保存前粘度）の９０％未満
粘度の測定は、Ｂ型粘度計であるデジタル粘度計（型名：ＤＶ−ＩＩ＋、ブルックフィールド社製）を用い、スピンドルはＵＬＡを用いて、回転数６〜３０ｒｐｍ、液温２５℃の条件で行った。
【００６１】
【表２】
0005478680.tif 000003
【００６２】
※表中ＨＰＭＣ２９１０は、信越化学工業株式会社製メトローズ６０ＳＨ−４０００、ＨＰＭＣ２２０８は、信越化学工業株式会社製メトローズ９０ＳＨ−４０００、ＨＥＣはダイセル化学工業（株）製のダイセルＨＥＣ８５０ＳＥ、ＰＶＡは日本合成化学（株）製のゴーセノールＥＧ−０５である。
※表中の各成分の配合量の単位は、ｇ／１００ｍＬである。
【００６３】
表２より、各種水溶性高分子増粘剤を配合した試験液において、チオ硫酸ナトリウムを配合した試験液は粘度安定性が高いことが示された。
【００６４】
上記表１及び表２に示される結果より、多糖類であるＨＰＭＣやＨＥＣに対する本発明の安定化剤の効果が確認されたことから、同じく多糖類であるヒアルロン酸類等のムコ多糖類に対しても同様の効果が得られると予想される。